(57)【要約】【課題】  良好な動画視認性を確保すると共に、透過部及び反射部の両方で良好な表示特性が実現される半透過型の液晶表示装置を提供する。【解決手段】  画素ＰＸをマトリクス状に配した表示パネルＤＰと、表示パネルを照明する光源ＢＬと、表示パネルの一方の面と光源との間に配され、所定波長の光に位相差を与える第１の位相差板ＲＦ１と、表示パネルの他方の面に対向して配された第２の位相差板ＲＦ２とを備え、画素は、独立して駆動制御可能な反射部ＰＸｒと透過部ＰＸｔとを有する半透過型ＯＣＢ液晶画素であり、反射部のセルギャップｄｒが透過部のセルギャップｄｔの１／２よりも大きい液晶表示装置である。【選択図】図１
2008261944.tif 000002
【特許請求の範囲】
【請求項１】
画素をマトリクス状に配した表示パネルと、
前記表示パネルを照明する光源と、
前記表示パネルの一方の面と前記光源との間に配され、所定波長の光に位相差を与える第１の位相差板と、
前記表示パネルの他方の面に対向して配された第２の位相差板とを備え、
前記画素は、独立して駆動制御可能な反射部と透過部とを有する半透過型ＯＣＢ液晶画素であり、前記反射部のセルギャップが前記透過部のセルギャップの１／２よりも大きいことを特徴とする液晶表示装置。
【請求項２】
前記第２の位相差板は、前記反射部に０Ｖよりも大きい所定の電圧を与えたときに最大透過率が得られるようになされ、
前記第１の位相差板は、前記透過部に０Ｖ近傍の電圧を与えたときに最大透過率が得られるようになされたことを特徴とする請求項１に記載の液晶表示装置。
【請求項３】
前記反射部と前記透過部とを駆動する駆動制御手段を更に備え、
前記駆動制御手段が前記反射部を駆動するときの黒挿入率が、前記透過部を駆動するときの黒挿入率よりも小さいことを特徴とする請求項１に記載の液晶表示装置。
【請求項４】
前記駆動制御手段は、前記透過部については黒挿入駆動を行い、前記反射部については黒挿入駆動を行わないことを特徴とする請求項３に記載の液晶表示装置。
【請求項５】
前記反射部と前記透過部で階調印加電圧特性が異なることを特徴とする請求項１に記載の液晶表示装置。
【請求項６】
前記反射部と前記透過部との階調印加電圧特性に応じて、前記反射部と前記透過部を駆動するときの黒挿入率が調整されるようになされたことを特徴とする請求項５に記載の液晶表示装置。
【発明の詳細な説明】
【技術分野】
【０００１】
本発明は液晶表示装置に関し、特に動画視認性に優れ、且つ使用環境に適した画像表示の実現が可能な液晶表示装置に関する。
【背景技術】
【０００２】
液晶表示装置に代表される平面表示装置は、軽量、薄型、低消費電力などの特徴を生かして、パーソナルコンピュータ、情報携帯端末、テレビジョン、あるいはカーナビゲーションシステム等の表示装置として広く利用されている。  
この液晶表示装置では、多数の画素がマトリクス状に配され、そのそれぞれの画素の光透過率が制御されることで表示が行われる。そのため、光を利用する形態によって、透過型液晶表示装置、反射型液晶表示装置、あるいは半透過型液晶表示装置の各種の液晶表示装置が知られている。
【０００３】
透過型液晶表示装置は、バックライトと呼ばれる照明装置を表示パネルの背面に設け、その光の透過量を制御して画像を表示する。この透過型液晶表示方式では、周囲光が少ない暗い場所においても良好な画像表示が可能である。しかし、屋外等の周囲光が明るい場所では輝度が不足し、表示視認性が低下する。
【０００４】
一方、反射型液晶表示装置は、表示装置の周囲光を表示パネルの内部で反射させ、その反射量を制御して画像を表示する。このため、屋外等の周囲光が明るい場所での使用には適しているものの、周囲光が少ない暗い場所においては、表示を認識できないという問題がある。  
半透過型液晶表示装置では、周囲光を反射することによって画像を表示する反射部とバックライト光を透過することによって画像を表示する透過部とを１画素内に備える。これによって、透過型表示機能と反射型表示機能とを両立させることが可能となり、よって環境照度によらず優れた表示を実現できる（例えば、特許文献１参照）。
【特許文献１】特開２００５−６２５７３号公報
【発明の開示】
【発明が解決しようとする課題】
【０００５】
ところで、液晶テレビや携帯電話などの分野では、動画表示に必要とされる高速な液晶応答性を有すると共に、広視野角の実現が可能なＯＣＢモード（Optically Compensated Birefringence）の液晶表示パネルが注目されている。  
ＯＣＢモードの液晶表示パネルでは、画像を表示する際には液晶配向がスプレー配向からベンド配向へ転移される必要がある。そのため、電源投入時において比較的大きな電界が液晶に印加される。また、この液晶配向は一旦ベンド配向に転移しても、スプレー配向のエネルギーとベンド配向のエネルギーとが拮抗するレベル以下の電圧印加状態や電圧無印加状態が長期間続く場合に、再びスプレー配向に逆転移してしまうという性質を有する。  
そこで、ベンド配向からスプレー配向への逆転移を防止するため、例えば１フレームの画像を表示するフレーム毎に、定期的に大きな電圧を液晶に印加する駆動方式が知られている。例えば、ノーマリホワイトの液晶表示パネルでは、この電圧が黒表示となる画素電圧に相当するため、一定の割合で黒表示を挿入する、所謂、黒挿入駆動と呼ばれる駆動方法が採られる。ちなみに、この黒挿入駆動は、動画表示において観察者の視覚に生ずる網膜残像の影響で低下する視認性を輝度の離散的なインパルス応答によって改善することにもなる。
【０００６】
そこで、半透過型液晶表示装置にＯＣＢモードの液晶表示装置を組み合わせることにより、優れた動画視認性と環境照度に依存しない画像表示の実現を可能にすることができる。
【０００７】
しかしながら、近年、更に透過部での動画視認性と反射部の表示特性の両立が望まれるようになってきた。
【０００８】
本発明はこのような課題を解決するためになされたものであって、良好な動画視認性を確保すると共に、透過部及び反射部の両方で良好な表示特性が実現される半透過型の液晶表示装置を提供することを目的とする。
【課題を解決するための手段】
【０００９】
本発明は、画素をマトリクス状に配した表示パネルと、前記表示パネルを照明する光源と、前記表示パネルの一方の面と前記光源との間に配され、所定波長の光に位相差を与える第１の位相差板と、前記表示パネルの他方の面に対向して配された第２の位相差板とを備え、前記画素は、独立して駆動制御可能な反射部と透過部とを有する半透過型ＯＣＢ液晶画素であり、前記反射部のセルギャップが前記透過部のセルギャップの１／２よりも大きい液晶表示装置である。
【発明の効果】
【００１０】
この発明によれば、良好な動画視認性が確保されると共に、透過部及び反射部の両方で良好な表示特性が実現される半透過型の液晶表示装置を得ることができる。
【発明を実施するための最良の形態】
【００１１】
〔第１の実施の形態〕  
以下、本発明の第１の実施形態に係る半透過型ＯＣＢ液晶表示装置（以下、液晶表示装置という）について添付図面を参照して説明する。  
図１は、液晶表示装置１の回路構成を概略的に示す図である。  
液晶表示装置１は、複数のＯＣＢ液晶画素ＰＸを配した液晶表示パネルＤＰ、液晶表示パネルＤＰを制御する表示制御回路ＣＮＴおよび液晶表示パネルＤＰを照明するバックライトＢＬを備える。液晶表示パネルＤＰはアレイ基板２および対向基板３間に液晶層４を挟持した構造である。 
ＯＣＢ液晶画素ＰＸは半透過型の液晶画素であり、各ＯＣＢ液晶画素ＰＸは液晶表示パネルＤＰの奇数行に配された透過型の画素ＰＸｔと偶数行に配された反射型の画素ＰＸｒとを一組として構成されている。即ち、ＯＣＢ液晶画素ＰＸの透過部と反射部とは、一画素内においてそれぞれ電気的に独立して構成されている。  
表示制御回路ＣＮＴはアレイ基板２および対向基板３から液晶層４に印加される液晶駆動電圧を変化させることにより液晶表示パネルＤＰの透過率（反射率）を制御する。  
アレイ基板２は、複数の画素電極ＰＥ、複数のゲート線Ｇ（Ｇ１〜Ｇｍ）、複数のソース線Ｘ（Ｘ１〜Ｘｎ）、画素スイッチング素子Ｗ、ゲートドライバ１０、およびソースドライバ２０を有する。そして、それぞれのゲート線Ｇは、透過用のゲート線Ｇｔ、反射用のゲート線Ｇｒからなっている。  
画素電極ＰＥは、例えばガラス等の透明絶縁基板上にマトリクス状に配置される。ゲート線Ｇは、複数の画素電極ＰＥの行に沿って配置される。ＯＣＢ液晶画素ＰＸには透過用のゲート線Ｇｔと反射用のゲート線Ｇｒとが接続され、それぞれ透過型の画素ＰＸｔと反射型の画素ＰＸｒとを駆動する。ソース線Ｘ（Ｘ１〜Ｘｎ）は、複数の画素電極ＰＥの列に沿って配置される。画素スイッチング素子Ｗは、これらゲート線Ｇおよびソース線Ｘの交差位置近傍に配置される。ゲートドライバ１０は、複数のゲート線Ｇを順次駆動する。ソースドライバ２０は、各ゲート線Ｇが駆動される間に複数のソース線Ｘを駆動する。
【００１２】
各画素スイッチング素子Ｗは、例えばポリシリコン薄膜トランジスタからなる。この場合、薄膜トランジスタのゲートが１本のゲート線Ｇに接続され、ソースおよびドレインパスが１本のソース線Ｘおよび１個の画素電極ＰＥ間にそれぞれ接続される。  
尚、ゲートドライバ１０は画素スイッチング素子Ｗと同一工程で同時に形成されるポリシリコン薄膜トランジスタを用いて構成される。また、ソースドライバ２０はＣＯＧ（Chip On Glass）技術によりアレイ基板２にマウントされた集積回路（ＩＣ）チップである。ソースドライバ２０は、ゲートドライバ１０と同様に、ポリシリコン薄膜トランジスタを用いて構成することもできる。
【００１３】
対向基板３は、例えばガラス等の透明絶縁基板上に配置され複数の画素電極ＰＥの列にそれぞれ対向する赤、緑、および青の着色層からなるカラーフィルタ（図示せず）、およびカラーフィルタ上に配置され複数の画素電極ＰＥ全体に対向する共通電極ＣＥ等を含む。  
透過型の画素ＰＸｔを構成する各画素電極ＰＥおよび共通電極ＣＥは、それぞれ例えばＩＴＯ等の透明電極材料からなり、画素電極ＰＥおよび共通電極ＣＥ間に配置される。また、反射型の各画素ＰＸｒを構成する画素電極ＰＥは、例えばアルミニウム等の反射電極材料からなり、画素電極ＰＥおよび共通電極ＣＥ間の電界に対応して画素電極ＰＥおよび共通電極ＣＥ間に配置される液晶層４の液晶分子配列が制御される。そして、画素電極ＰＥおよび共通電極ＣＥからの電界に対応して液晶層４の液晶分子配列が制御される。画素電極ＰＥ、共通電極ＣＥ及び液晶層４の画素領域が、ＯＣＢ液晶画素ＰＸを構成する。
【００１４】
表示制御回路ＣＮＴは、フレームメモリ１３、設定値メモリ１５及び駆動制御部１６を備えている。  
フレームメモリ１３は、デジタル映像信号から抽出された表示信号を保存する。駆動制御部１６は、外部信号源（不図示）から入力される同期信号に基づいてフレームメモリ１３に保存された表示信号から生成したソース信号、制御信号を順次出力する。ここで、駆動制御部１６が生成するソース信号は、透過型の画素ＰＸｔと反射型の画素ＰＸｒに対する表示信号であって、黒挿入用の黒信号を含むように変換される。また、駆動制御部１６は、外部信号源から入力される同期信号に基づいてゲートドライバ１０に対する制御信号であるゲート信号を発生する。さらに駆動制御部１６は、外部信号源から入力される同期信号に基づいてバックライトＢＬの点滅を制御する同期信号を出力する。
【００１５】
設定値メモリ１５は、透過型の画素ＰＸｔと反射型の画素ＰＸｒに対するそれぞれの黒挿入率を設定データとして保存する。  
ゲートドライバ１０は、複数のスイッチング素子Ｗを行単位に導通させるように複数のゲート線Ｇ１〜Ｇｍを駆動する。ソースドライバ２０は、各行のスイッチング素子Ｗが対応ゲート線Ｇの駆動によって導通する期間において画素電圧を複数のソース線Ｘ１〜Ｘｎにそれぞれ出力する。駆動制御部１６は、外部から入力される映像信号に対して、黒挿入信号を含むように変換を行い、この変換結果に対するゲートドライバ１０およびソースドライバ２０の動作タイミング等を制御する。
【００１６】
図２は、ソースドライバの構成を概略的に示す図である。  
制御信号ＣＴＸは駆動制御部１６からソースドライバ２０に供給され、１行（ライン）の画素ＰＸに対する映像信号または非映像信号である表示信号DATAを複数のソース線Ｘにそれぞれ割り当てるために用いられる。制御信号ＣＴＸは水平スタート信号ＳＴＨ、水平クロック信号ＣＫＨ、ストローブ信号ＳＴＢ、および極性信号ＰＯＬを含んでいる。水平スタート信号ＳＴＨは、所定期間毎に発生されるパルスである。水平クロック信号ＣＫＨは、所定期間の各々においてソース線数分発生されるパルスである。ストローブ信号ＳＴＢは、スタート信号ＳＴＨから所定時間遅れて発生されるパルスである。このストローブ信号ＳＴＢは、１ラインの画素ＰＸに対する表示信号DATAの変換結果である画素電圧を並列的にソース線Ｘ１〜Ｘｎに出力するために使用される。極性信号ＰＯＬは、１水平走査期間毎および１垂直走査期間毎に画素電圧の極性を反転させるための信号である。
【００１７】
ソースドライバ２０は、シフトレジスタ２１、サンプリング＆ロードラッチ２２、デジタルアナログ（Ｄ／Ａ）変換回路２３、および出力バッファ回路２４を含む。  
シフトレジスタ２１は、水平スタート信号ＳＴＨを水平クロック信号ＣＫＨに同期してシフトし、表示信号DATAを順次直並列変換するタイミングを制御する。サンプリング＆ロードラッチ２２は、シフトレジスタ２１の制御により１ラインの画素ＰＸｔ、画素ＰＸｒに対する表示信号DATAを順次ラッチし、並列的に出力する。デジタルアナログ（Ｄ／Ａ）変換回路２３は、表示信号DATAをアナログ形式の画素電圧に変換する。出力バッファ回路２４は、Ｄ／Ａ変換回路２３から得られるアナログ画素電圧をソース線Ｘ１〜Ｘｎに出力する。
【００１８】
以上説明したゲートドライバ１０およびソースドライバ２０の動作が、１フレーム分の黒挿入用の非映像信号と、１フレーム分の映像信号とについて実行される。黒挿入用の非映像信号に対応する画素電圧の保持期間に対して映像信号に対応する画素電圧の保持期間を設定値メモリ１５の設定データに基づいて変化させることによって、１フレーム期間に対する非映像信号に対応する画素電圧の保持期間の比率である黒挿入率を画素ＰＸｔ、画素ＰＸｒに対して変更することができる。
【００１９】
また、液晶表示パネルＤＰは、図３に示すように、液晶表示パネルＤＰの一方の外面側に配置された第２偏光板ＰＯＬ２、第２位相差板ＲＦ２、液晶表示パネルＤＰの他方の外面側に配置された第１位相差板ＲＦ１、第１偏光板ＰＯＬ１を備えている。そして、更に液晶表示パネルＤＰの裏面には、この液晶表示パネルＤＰを照明するバックライトＢＬを備えている。
【００２０】
第１偏光板ＰＯＬ１及び第２偏光板ＰＯＬ２は、これらを通過した光の偏光状態を制御する。  ここで適用される第１偏光板ＰＯＬ１及び第２偏光板ＰＯＬ２は、光の進行方向に直交する平面内において、互いに直交する吸収軸及び透過軸を有している。このような偏光板は、ランダムな方向の振動面を有する光から、透過軸と平行な１方向の振動面を有する光すなわち直線偏光の偏光状態を有する光を取り出すものである。
【００２１】
第１位相差板ＲＦ１は、面内において、遅相軸が第１偏光板ＰＯＬ１の吸収軸（または透過軸）に対して所定の角度（鋭角）を形成するように配置することにより、第１偏光板ＰＯＬ１を透過した直線偏光を所定の楕円率（＝短軸方向の振幅／長軸方向の振幅）を有する楕円偏光あるいは円偏光に変換する機能を有する、例えばλ／４板を含む。  
同様に、第２位相差板ＲＦ２は、面内において、遅相軸が第２偏光板ＰＯＬ２の吸収軸（または透過軸）に対して所定の角度（鋭角）を形成するように配置することにより、第２偏光板ＰＯＬ２を透過した直線偏光を所定の楕円率を有する楕円偏光あるいは円偏光に変換する機能を有している。  
本液晶表示装置はこの様な構成によって、透過部と反射部とで異なる変調率（階調印加電圧特性）を生じさせている。  
第１位相差板ＲＦ１及び第２位相差板ＲＦ２は、それぞれ互いに直交する遅相軸及び進相軸を有している位相差層を含む。遅相軸は、複屈折を議論する上で、相対的に屈折率の大きな軸に対応し、進相軸は、相対的に屈折率の小さな軸に対応する。遅相軸は、異常光線の振動面と一致するものとする。進相軸は、常光線の振動面と一致するものとする。常光線及び異常光線の屈折率をそれぞれｎｏ及びｎｅとし、それぞれの光線の進行方向に沿った位相差板の厚さをｄとしたとき、位相差層のリタデーション値Δｎ・ｄ（ｎｍ）は、（ｎｅ・ｄ−ｎｏ・ｄ）で定義される（つまり、Δｎ＝ｎｅ−ｎｏ）。  
従って、第１位相差板ＲＦ１及び第２位相差板ＲＦ２の位相差層を適宜選定することによって、所望のリタデーション値を得ることができる。特にこの実施形態によれば、透過部における位相差層のリタデーション値と反射部における位相差層のリタデーション値とが異なるようにそれぞれ設定している。詳しくは、通常、第１位相差板ＲＦ１及び第２位相差板ＲＦ２の位相差層のリタデーション値は等しく設定されるところ、この実施形態では後述するように、反射部のセルギャップｄｒの２倍の値を透過部のセルギャップｄｔよりも大きく設定することに伴い、反射部の表示には寄与しない第２位相差板ＲＦ２の位相差層のリタデーション値を小さく、逆に反射部の表示に寄与する第１位相差板ＲＦ１の位相差層のリタデーション値を大きく設定した。具体的には、通常、第１位相差板ＲＦ１及び第２位相差板ＲＦ２の位相差層のリタデーション値は３０ｎｍに設定されるところ、この実施形態では第１位相差板ＲＦ１の位相差層のリタデーション値を４０ｎｍ、第２位相差板ＲＦ２の位相差層のリタデーション値を２０ｎｍに設定した。
【００２２】
また、図３において、透過部のセルギャップｄｔを反射部のセルギャップｄｒの２倍とは若干異なる値に設定することで、透過部と反射部との光路長に差を設け、透過部と反射部とのリタデーション値に差を生じさせ、これにより変調率が最大となる電圧をシフトすることができる。そして、この実施形態では、透過部のセルギャップｄｔを4μｍ、反射部のセルギャップｄｒを３μｍに設定した。即ち、透過部の光路長が4μｍであるのに対して、反射部の光路長は６μｍと、透過部に比して２μｍ長く設定されている。
【００２３】
図４は、透過部と反射部の変調率を示す図であり、更に詳細に説明する。  
透過部では、バックライトＢＬからの光は、第１位相差板ＲＦ１、液晶表示パネルＤＰ、第２位相差板ＲＦ２を透過する。この光の経路において、図４の（１）に示すように、変調率が０Ｖ近傍において最大となる様に第１位相差板ＲＦ１の位相差層のリタデーション値、および第２位相差板ＲＦ２の位相差層のリタデーション値をそれぞれ設定する。  
反射部では、周囲からの光は、第２位相差板ＲＦ２、液晶表示パネルＤＰ、再び液晶表示パネルＤＰ、第２位相差板ＲＦ２と進行する。そこで、反射部のセルギャップｄｒを透過部のセルギャップｄｔの１／２倍よりも若干厚く設定することで、反射部のリタデーション値を透過部のリタデーション値よりも大きし、これに合わせて第２位相差板ＲＦ２の位相差層のリタデーション値を設定している。
【００２４】
なお、セルギャップｄｔとセルギャップｄｒとは、式（１）の関係にあることが望ましい。  
dt/2  ＜  ｄｒ  −  ｄｔ／２  ＜  dr          …式（１）  
このような構成により、反射部の変調率曲線は、変調率が０Ｖ近傍において最大とはならず、図４の（２）に示すように、変調率曲線はシフトされる。そして、例えば変調率の最大値を、スプレー配向のエネルギーとベンド配向のエネルギーとが拮抗する臨界電圧Ｖｃ近傍となる様に反射部のセルギャップｄｒ、第２位相差板ＲＦ２を設計する。  
なお、図４に示すように、本液晶表示装置の画素の透過部と反射部にはそれぞれ独立に電圧を付与することが可能である。
【００２５】
図５は、白表示時の反射部と透過部の駆動を示すタイムチャートである。  
透過用の画素ＰＸｔには１フレーム期間の所定期間、変調率で黒を表す電圧Ｖｂｔが与えられ、これにより黒表示がなされる。また、透過用の画素ＰＸｔには１フレーム期間の残りの期間、変調率で白を表す電圧０Ｖが与えられ、これにより白表示がなされる。
【００２６】
これに対して反射部の画素ＰＸｒには、１フレーム期間にわたり変調率で白を表す電圧Ｖｃおよび−Ｖｃがフレーム期間毎に交互に与えられ、これにより白表示がなされる。
【００２７】
このように、反射部分については黒挿入駆動を行わず、透過部分についてインパルス型駆動（黒挿入駆動）を行うことで、液晶の逆転移を防止しつつ、反射部で高い光利用効率と、透過部での動画視認性を向上させることができる。
【００２８】
また、透過部において、１フレーム期間のうち、黒表示期間に対応してバックライトＢＬの点灯／非点灯を制御することにより、一層の消費電力の低減を図ることができる。  
上記した実施形態における黒表示期間は、全画素行に一律に設けてもよく、またそれぞれ順次設定されるものであってもかまわない。
【００２９】
〔第２の実施の形態〕  
第２の実施の形態では、液晶表示装置の表示動作において、透過部、反射部ともに黒挿入駆動を行う点が異なっている。従って、第１の実施の形態と同一の部位には同一の符号を付してその詳細の説明は省略する。  
第２の実施の形態では、図７に示すように、透過部、反射部ともに黒挿入駆動を行うが、反射部において変調率の最大値を、スプレー配向のエネルギーとベンド配向のエネルギーとが拮抗する臨界電圧Ｖｃ近傍となる様に設定しているため、黒挿入期間は透過部のそれほど長く設定する必要はない。
【００３０】
なお、この反射モードによる黒表示期間長と透過モードによる黒表示期間長は、設定値メモリ１５の設定データに基づいて変更することが可能である。即ち、反射モードと透過モードの黒挿入率を指定することができる。なお、光の利用効率向上の点から反射モードによる黒表示期間は透過モードによる黒表示期間よりも短いことが望ましい。
【００３１】
また、反射部での黒挿入駆動の有無を切替えても良い。  
例えば、ユーザの設定によって反射部での黒挿入駆動を行うかどうか（黒挿入の有無）をコントロールしても良い。  
あるいは、入力映像に動きが多いかどうかをフレーム同士を比較することで自動検知し、動きが多い場合は動画視認性を向上させるために反射部での黒挿入駆動を実行するようにしても良い。  
さらに、外光センサを表示パネルまたはＭＤＬの一部に有し、センサの受光強度が一定値以上であるときは、反射部での黒挿入駆動を実施するようにしても良い。
【００３２】
このように、反射部における黒挿入駆動の有無を切替え可能とするため、反射部では、Ｖｃ以上の白電圧〜黒電圧間で黒挿入駆動を行う。  
そして、反射部での黒挿入駆動を実施するように切替えた場合は、反射モードによる黒表示期間長は設定値メモリ１５の設定されたデータに基づいて定めても良い。  
但し、黒挿入期間においては短時間で画素電圧ＰＥの電位を黒挿入用の大きな画素電圧にまで遷移させる必要があるため臨界電圧Ｖｃの値に対応して使用可能な黒挿入率に制限を設けても良い。
【００３３】
〔第３の実施の形態〕  
第３の実施の形態では、液晶画素ＰＸとソース線Ｘとの接続の態様が第１の実施の形態と異なっている。従って、第１の実施の形態と同一の部位には同一の符号を付してその詳細の説明は省略する。  
図６は、液晶画素とゲート線、ソース線との接続を示す図である。  
ＯＣＢ液晶画素ＰＸは半透過型の液晶画素であり、液晶表示パネルＤＰの奇数行に配された透過型の画素ＰＸｔと偶数行に配された反射型の画素ＰＸｒとで構成されている。即ち、ＯＣＢ液晶画素ＰＸの透過部と反射部とは、一画素内において独立して構成されている。  
そして、ＯＣＢ液晶画素ＰＸには透過用のゲート線Ｇｔと反射用のゲート線Ｇｒとが接続され、それぞれ透過型の画素ＰＸｔと反射型の画素ＰＸｒとを駆動する。更にＯＣＢ液晶画素ＰＸには透過用のソース線Ｘｔと反射用のソース線Ｘｒとが接続され、それぞれ透過型の画素ＰＸｔと反射型の画素ＰＸｒとを駆動する。
【００３４】
この構成によれば、ゲート線Ｇとソース線Ｘとがそれぞれ透過型の画素ＰＸｔと反射型の画素ＰＸｒとに独立して設けられているため、画素ＰＸｔと画素ＰＸｒとを独立に駆動することができ、透過部と反射部の各表示期間を独立に定めることができる。
【００３５】
尚、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３６】
【図１】液晶表示装置の回路構成を概略的に示す図。
【図２】ソースドライバの構成を概略的に示す図。
【図３】液晶表示装置の構成を示す断面図。
【図４】透過部と反射部の変調率を示す図。
【図５】白表示時の反射部と透過部の駆動を示すタイムチャート。
【図６】液晶画素とゲート線、ソース線との接続を示す図。
【図７】白表示時の反射部と透過部の駆動を示すタイムチャート。
【符号の説明】
【００３７】
２…アレイ基板、３…対向基板、４…液晶層、７…階調基準電圧発生回路、１０…ゲートドライバ、２０…ソースドライバ、２３…Ｄ／Ａ変換回路、２３’…Ｄ／Ａ変換部、ＰＥ…画素電極、ＣＥ…共通電極、ＰＸ…液晶画素、ＤＰ…表示パネル、ＰＯＬ１…第１偏光素子、ＰＯＬ２…第２偏光素子、ＢＬ…バックライト、ＣＮＴ…表示制御回路、ＤＰ…液晶表示パネル、Ｖｃ…臨界電圧、Ｖｓ…画素電圧、Ｘ…ソース線、Ｘｔ…透過用ソース線、Ｘｒ…反射用ソース線、Ｇ…ゲート線、Ｇｔ…透過用ゲート線、Ｇｒ…反射用ゲート線、Ｗ…画素スイッチング素子。
【図１】
2008261944.tif 000003
【図２】
2008261944.tif 000004
【図３】
2008261944.tif 000005
【図４】
2008261944.tif 000006
【図５】
2008261944.tif 000007
【図６】
2008261944.tif 000008
【図７】
2008261944.tif 000009